(57)【要約】【課題】デジタルデータを無線伝送するとき、その環境や状態に見合ったエンコードレートを得る。【解決手段】主データをエンコードするエンコーダ１５と、エンコーダ１５によりエンコードされた主データをデータフレーム化して送信する送信回路１６と、返送されてきたＡＣＫフレームを受信する受信回路１６とを設ける。送信回路１６が所定数のデータフレームを送信するごとに、その送信したデータフレームの数と、返送されてきたＡＣＫフレームの数とから、データフレームの送信の成功率を算出する回路１８を設ける。その算出した成功率に基づいてデータフレームの伝送レートおよび主データのエンコードレートの設定を行う制御回路１８を設ける。【選択図】　　　　図４
2004080321.tif 000002
【特許請求の範囲】
【請求項１】
送信側が、主データをエンコードしてからデータフレーム化して送信するとともに、受信側が、上記送信されてきたデータフレームを正常に受信したとき、ＡＣＫフレームを上記送信側に返送するようにした通信方法において、
所定数の上記データフレームを送信するごとに、その送信したデータフレームの数と、上記返送されてきたＡＣＫフレームの数とから、上記データフレームの送信の成功率を算出し、
この算出した成功率に基づいて上記データフレームの伝送レートおよび上記主データのエンコードレートの設定を行う
ようにした送信方法。
【請求項２】
請求項１に記載の送信方法において、
上記設定が、
上記データフレームの伝送レートを、上記成功率に基づいた最高値に設定する処理であるとともに、
上記主データのエンコードレートを、上記設定された伝送レートに基づいた最高値に設定する処理である
ようにした送信方法。
【請求項３】
請求項１あるいは請求項２に記載の送信方法において、
上記主データが、映像信号および音声信号である
ようにした送信方法。
【請求項４】
送信側が、主データをエンコードしてからデータフレーム化して送信するとともに、受信側が、上記送信されてきたデータフレームを正常に受信したとき、ＡＣＫフレームを上記送信側に返送するようにした通信装置において、
上記主データをエンコードするエンコーダと、
上記エンコードされた主データを上記データフレーム化して送信する送信回路と、
上記返送されてきたＡＣＫフレームを受信する受信回路と、
上記送信回路が所定数の上記データフレームを送信するごとに、その送信したデータフレームの数と、上記返送されてきたＡＣＫフレームの数とから、上記データフレームの送信の成功率を算出する回路と、
上記算出した成功率に基づいて上記データフレームの伝送レートおよび上記主データのエンコードレートの設定を行う制御回路と
を有するようにした送信装置。
【請求項５】
請求項４に記載の送信装置において、
上記制御回路の行う設定が、
上記データフレームの伝送レートを、上記成功率に基づいた最高値に設定する処理であるとともに、
上記主データのエンコードレートを、上記設定された伝送レートに基づいた最高値に設定する処理である
ようにした送信装置。
【請求項６】
請求項４あるいは請求項５に記載の送信装置において、
上記主データが、映像信号および音声信号である
ようにした送信装置。
【発明の詳細な説明】
【０００１】
【発明の属する技術分野】
この発明は、デジタルデータの送信方法および送信装置に関する。
【０００２】
【従来の技術】
テレビ受像機として、図６に示すように、放送受信部１０と表示部２０とを別体にしたものがある。この場合、放送受信部１０は、テレビ放送を受信して映像信号および音声信号を復調するものであるが、図６の例においては、さらに、外部ＡＶ機器としてＶＴＲ１やＤＶＤプレーヤ２なども接続されている。なお、放送受信部１０は、部屋の隅などに置かれる。
【０００３】
そして、放送受信部１０において、テレビ放送による映像信号および音声信号と、ＡＶ機器１、２により再生された映像信号および音声信号とのうちの１組が選択され、その選択された１組が電波により表示部２０へと送信される。なお、その送信される映像信号および音声信号は、例えば、ＭＰＥＧ方式によりエンコード（データ圧縮）され、ＩＥＥＥ８０２．１１にしたがってデータフレーム化されて送信される。
【０００４】
一方、表示部２０は、電源がバッテリとされるとともに、映像の表示手段がＬＣＤパネルにより構成される。そして、表示部２０において、放送受信部１０が送信してきたエンコード信号からもとの映像信号および音声信号がデコードされ、映像および音声が出力される。したがって、このテレビ受像機によれば、ユーザは、居間や寝室あるいは庭先など好きな場所で手軽にテレビ番組を見ることができる。
【０００５】
【発明が解決しようとする課題】
上述のテレビ受像機の場合、放送受信部１０が映像信号および音声信号をエンコード処理するときのエンコードレートを高くすれば、表示部２０から出力される映像および音声の品質を高くすることができる。
【０００６】
しかし、放送受信部１０がＭＰＥＧエンコード信号を表示部２０に送信するときの送信レート（伝送レート）は、映像信号および音声信号をエンコード処理するときのエンコードレートよりも高くなければならない。そして、放送受信部１０と表示部２０との間の電波状態は、放送受信部１０や表示部２０を使用する場所によって異なる。例えば、放送受信部１０と表示部２０との間の距離、壁や家具の有無などによって異なる。
【０００７】
また、表示部２０を別の場所に移動させれば、これによっても電波状態は変化してしまう。さらに、表示部２０を使用する場所が固定されていても、放送受信部１０と表示部２０との間を人が通ったり、近づいたりしても電波状態の変化することがある。
【０００８】
このため、一般に、放送受信部１０がＭＰＥＧエンコード信号を送信するときの送信レートは、低めに抑えて伝送状態を確保するようにしている。しかし、そのようにすると、ＭＰＥＧエンコード信号のエンコードレートを高くすることができなくなり、結果として映像および音声の品質が制限されてしまう。
【０００９】
この発明は、このような問題点を解決しようとするものである。
【００１０】
【課題を解決するための手段】
この発明においては、例えば、
送信側が、主データをエンコードしてからデータフレーム化して送信するとともに、受信側が、上記送信されてきたデータフレームを正常に受信したとき、ＡＣＫフレームを上記送信側に返送するようにした通信方法において、
所定数の上記データフレームを送信するごとに、その送信したデータフレームの数と、上記返送されてきたＡＣＫフレームの数とから、上記データフレームの送信の成功率を算出し、
この算出した成功率に基づいて上記データフレームの伝送レートおよび上記主データのエンコードレートの設定を行う
ようにした送信方法
とするものである。
したがって、データフレームの伝送レートが、そのときの環境や状態に対応して動的に変更されるとともに、エンコードレートもその伝送レートに見合った速度に動的に変更される。
【００１１】
【発明の実施の形態】
▲１▼　データの無線伝送時のプロトコルおよびデータフレームについて
ＩＥＥＥ８０２．１１によりＡＶデータなどのデータを無線で送信する場合には、図１に示すように、
（Ａ）　送信装置が、主データを有するデータフレーム（ＭＡＣデータフレーム）を送信する。
（Ｂ）　受信装置は、そのＭＡＣデータフレームを正常に受信できたときには、送信装置により指定された期間ＴＩＤが経過するまでに、ＡＣＫデータを有するフレーム（ＡＣＫフレーム）を返送する。
受信できないときは、何もしない。
（Ｃ）　送信装置は、期間ＴＩＤ内に、ＡＣＫデータを受信したときには、次のＭＡＣデータフレームを送信する。
期間ＴＩＤ内にＡＣＫデータを受信できなかったときは、先のＭＡＣデータフレームを再送信する。
（Ｄ）　上記の処理を、１つのＭＡＣデータフレームごとに繰り返す。
のような処理を行っている。
【００１２】
図２は、そのデータフレームの構成を示す。このデータフレームについては、ＩＥＥＥ８０２．１１により規定されているが、図２Ａに示すように、１つのデータフレームは、ＰＬＣＰプリアンブル、ＰＬＣＰヘッダ、ＰＳＤＵ、テイルビットなどから構成される。この場合、ＰＬＣＰプリアンブルおよびＰＬＣＰヘッダは、伝送レート（送信レート）が６Ｍｂｐｓに固定されているが、ＰＳＤＵおよびテイルビットの伝送レートは、後述するように可変とされている。
【００１３】
そして、ＰＬＣＰヘッダは、図２Ｂに示すように、データＤＲ、データＬＥＮＧＴＨなどのデータを有する。この場合、データＤＲはＰＳＤＵおよびテイルビットの伝送レートを示し、データＬＥＮＧＴＨはＰＳＤＵに含まれる主データの長さを示す。
【００１４】
ここで、データＤＲは、上記のようにＰＳＤＵおよびテイルビットの伝送レートを示ものであるが、４ビットとされ、このデータＤＲと伝送レートとは、例えば図３に示すような関係とされている。例えば、ＤＲ＝“１１０１”のときには、ＰＳＤＵおよびテイルビットの伝送レートは６Ｍｂｐｓであり、ＤＲ＝“０１０１”のときには、伝送レートは１２Ｍｂｐｓである。なお、この伝送レートを低く設定すると、無線伝送としては安定だが、品質の高い映像および音声の伝送や再生はできなくなり、逆に、この伝送レートを高く設定すると、各種の障害に対して弱くなる。
【００１５】
そして、データフレームがＭＡＣデータフレームの場合には、図２Ｃに示すように、ＰＳＤＵは、ＭＡＣヘッダと、主データと、フレームチェックサムＦＣＳとから構成される。そして、ＭＡＣヘッダは、フレームコントロールＦＣと、データＤＲＩＤ、アドレスＡＤＤＲなどから構成される。この場合、フレームコントロールＦＣは、そのデータフレームの送信方向、主データが暗号化されている／いない、そのデータフレームが初送信であるか再送信であるかなどのデータを有する。
【００１６】
また、データＤＲＩＤは、上記（Ｃ）項における制限時間ＴＩＤを示すもので、一般には、ＴＩＤ＝２〜３ｍｓである。さらに、アドレスＡＤＤＲは、送信元のＭＡＣアドレス、送信先のＭＡＣアドレス、無線エリアを特定するためのＢＳＳＩＤなどである。
【００１７】
そして、主データが伝送すべきデータであり、今の場合、ＭＰＥＧエンコード処理された映像信号および音声信号である。また、フレームチェックサムＦＣＳは、（Ｂ）項に示すように、受信装置がＭＡＣデータフレームを正常に受信できたかどうかをチェックするときに使用する。
【００１８】
さらに、データフレームがＡＣＫフレームの場合には、図２Ｄに示すように、ＰＳＤＵは、ＭＡＣヘッダと、フレームチェックサムＦＣＳとから構成され、ＭＡＣヘッダがデータＲＡを有する。
【００１９】
▲２▼　ＭＰＥＧエンコードレートおよび伝送レートについて
データをＭＰＥＧ方式でエンコードして無線により伝送する場合、無線モジュール（送受信回路）の伝送レートを値ＲＴＸに設定しても、１つのデータフレームに対して再送信を１回したとすれば（初送信を含めて全部で２回の送信をしたとすれば）、送信の成功率は１／２であり、実質的な伝送レートはＲＴＸ／２である。また、再送信を２回したとすれば（全部で３回送信したとすれば）、送信の成功率は１／３であり、実質的な伝送レートはＲＴＸ／３である。
【００２０】
そこで、
ＲＴＸ：無線モジュールに設定した伝送レート
ｐ　：送信の成功率。０≦ｐ≦１
ＲＥＦ：無線伝送系の実質的な伝送レート
とすれば、
ＲＥＦ＝ＲＴＸ・ｐ　　　　　　　　　　　　　　　・・・　（１）
となる。
【００２１】
また、データをＭＰＥＧ方式でエンコードして無線により伝送する場合、
ＲＥＮＣ：送信側のＭＰＥＧエンコーダのエンコードレート
とすれば、そのＭＰＥＧエンコード信号を受信側でデコードするときのデコードレートも、やはり値ＲＥＮＣである。そして、とうぜん、
ＲＥＮＣ＜ＲＥＦ　　　　　　　　　　　　　　　　　・・・　（２）
でなければならない。つまり、連続的にＲＥＮＣ＞ＲＴＸの状態になってしまうと、ＭＰＥＧデコーダが動画再生するために必要なデータが枯渇することになり、動画再生を行うことはできなくなる。
【００２２】
したがって、（１）式および（２）式から
ＲＥＮＣ＜ＲＴＸ・ｐ　　　　　　　　　　　　　　　・・・　（３）
となる。しかし、実際には、送信側の無線モジュールから出力されるデータには、▲１▼項において説明したように、本来の映像信号および音声信号以外に各種の情報が含まれたり、受信側からのＡＣＫフレームを待つための時間が必要とされたり、あるいはＡＣＫフレームを処理するための時間も必要とされたりするので、送信側のＭＰＥＧエンコーダのエンコードレートＲＥＮＣは、８０％程度に抑える必要がある。
【００２３】
この結果、（３）式は、さらに、
ＲＥＮＣ＜０．８×ＲＴＸ・ｐ　　　　　　　　　　　　・・・　（４）
となる。つまり、通信状況が良好であり、伝送レートＲＴＸや成功率ｐが大きくなったときには、それだけエンコードレートＲＥＮＣを大きくして画質を向上させることができる。
【００２４】
そこで、この発明は、通信状況を判断ないし検出し、通信状況が悪いときには、エンコードレートＲＥＮＣを下げ、画質は落ちるが、駒落ちや切れ目のない動画再生を可能とし、通信環境がよいときには、エンコードレートＲＥＮＣを上げて画質を向上させるものである。
【００２５】
▲３▼　送信装置および受信装置の一例
図４は、この発明による送信装置を上述の放送受信部１０に適用した場合の一例を示す。また、受信装置となる表示部２０の一例も示す。そして、アンテナ１１により受信されたテレビ放送の放送波信号が受信回路１２に供給されて任意のチャンネルの映像信号および音声信号が取り出され、この信号が入力切り換え用のスイッチ回路１３に供給される。また、ＶＴＲ１および　ＤＶＤプレーヤ２から映像信号および音声信号が出力され、これら信号もスイッチ回路１３に供給される。
【００２６】
そして、スイッチ回路１３により、これに供給された映像信号および音声信号のうちの１組が選択され、その選択された映像信号および音声信号がＡ／Ｄコンバータ１４に供給されてデジタルデータにＡ／Ｄ変換されてからＭＰＥＧエンコーダ１５に供給されてＭＰＥＧエンコード信号にエンコードされ、このＭＰＥＧエンコード信号が無線モジュール１６に供給されて▲１▼項により説明したＩＥＥＥ８０２．１１のＭＡＣデータフレームに構成されるとともに、さらにＯＦＤＭ信号とされ、このＯＦＤＭ信号がアンテナ１７を通じて表示部２０へと送信される。
【００２７】
また、放送受信部１０は制御回路１８を有する。この制御回路１８は、スイッチ回路１３の切り換えを始めとして放送受信部１０の全体の動作を制御するものであり、マイクロコンピュータにより構成される。さらに、制御回路１８は、ＭＰＥＧエンコーダ１５がデータをＭＰＥＧエンコード信号にエンコードするときのエンコードレート、およびＭＡＣデータフレームを送信するときの送信レートを最適な値に制御するものでもある。
【００２８】
このため、この制御回路１８には、そのマイクロコンピュータが実行するプログラムの一部として、例えば図５に示すようなルーチン１００が用意される。このルーチン１００の詳細については後述するが、図５においては、ルーチン１００は、この発明に関係する部分だけを抜粋して示している。
【００２９】
一方、受信装置となる表示部２０においては、放送受信部１０から送信されてきたＯＦＤＭ信号がアンテナ２１により受信され、この受信信号が無線モジュール２２に供給されてもとのＭＰＥＧエンコード信号が復調されて取り出される。そして、このＭＰＥＧエンコード信号がバッファ回路２３を通じてＭＰＥＧデコーダ回路２４に供給されてもとのデジタルデータにデコードされ、このデジタルデータがＤ／Ａコンバータ２５に供給されてもとの映像信号および音声信号にＤ／Ａ変換され、これら信号がドライブ回路２６を通じてＬＣＤパネル２７およびスピーカ２８に供給され、映像および音声が出力される。
【００３０】
この場合、無線モジュール２２は、（Ｂ）項に述べたように、受信したＭＡＣデータフレームごとに、そのフレームチェックサムＦＣＳを求めることにより、そのＭＡＣデータフレームを正常に受信できたかどうかをチェックし、正常に受信できたときには、期間ＴＩＤが経過する前に、放送受信部１０の無線モジュール１６にＡＣＫフレームを返送し、正常に受信できなかったときには、何も返送しない。
【００３１】
また、放送受信部１０の無線モジュール１６は、（Ｃ）項に述べたように、ＭＡＣデータフレームを送信するごとに、ＡＣＫフレームの返送の有無をチェックしているが、このＡＣＫフレームの返送の有無が（４）式における成功率ｐを示している。
【００３２】
そこで、この発明においては、ＡＣＫフレームの返送の有無から成功率ｐを求め、その成功率ｐにしたがってＭＰＥＧエンコーダ１５のエンコードレートＲＥＮＣおよび無線モジュール１６の伝送レートＲＴＸを適正値に制御するものである。そして、その制御は、制御回路１８のマイクロコンピュータが例えば図５に示すルーチン１００を実行することにより実現するものである。
【００３３】
すなわち、放送受信部１０がＭＰＥＧエンコード信号の送信を開始するとき、制御回路１８のマイクロコンピュータの処理が、ルーチン１００のステップ１０１からスタートし、次にステップ１０２において、ＭＰＥＧエンコーダ１５のエンコードレートＲＥＮＣおよび無線モジュール１６の伝送レートＲＴＸがそれらの最高値に設定される。
【００３４】
続いて、ステップ１１１において、ＭＡＣデータフレームの送信（再送信を含む）が例えば１０００回行われる。なお、今の場合、エンコードレートＲＥＮＣおよび伝送レートＲＴＸは、ステップ１０２により設定された最高値である。また、このとき、ＭＡＣデータフレームの送信に成功すると、表示部２０からＡＣＫフレームが返送されてくるが、その返送されてきたＡＣＫフレームの数ｎＡＣＫがカウントされる。
【００３５】
次に、ステップ１１２において、
ｐ＝ｎＡＣＫ／１０００　　　　　　　　　　　　　　　・・・　（５）
からＭＡＣデータフレームの送信の成功率ｐが算出され、ステップ１１３において、（４）式が成立するかどうかが判別される。
【００３６】
そして、（４）式が成立しないときは、伝送レートＲＴＸが高すぎるときであるから、処理はステップ１１３からステップ１１４に進み、このステップ１１４において、伝送レートＲＴＸを下げることができるかどうか、すなわち、伝送レートＲＴＸが最低値であるかどうかが判別される。
【００３７】
そして、今の場合、伝送レートＲＴＸはステップ１０２により最高値であり、したがって、最低値ではないので、処理はステップ１１４からステップ１１５に進み、このステップ１１５において、エンコードレートＲＥＮＣおよび伝送レートＲＴＸが１ランク低い値とされ、その後、処理はステップ１１１に戻る。
【００３８】
また、ステップ１１４において、伝送レートＲＴＸが最低値のとき、すなわち、伝送レートＲＴＸをそれ以上下げることができないときには、処理はステップ１１４からステップ１１１に戻る。
【００３９】
したがって、ステップ１１１〜１１５によれば、ＭＡＣデータフレームを１０００回送信するごとに、（４）式が成立するかどうかがチェックされ、成立しないときには、成立するようになるまで、エンコードレートＲＥＮＣおよび伝送レートＲＴＸが低くされていく。
【００４０】
一方、ステップ１１３において、（４）式が成立するときには、伝送レートＲＴＸに余裕があるときであるから、処理はステップ１１３からステップ１２４に進み、このステップ１２４において、伝送レートＲＴＸを上げることができるかどうか、すなわち、伝送レートＲＴＸが最高値であるかどうかが判別される。
【００４１】
そして、伝送レートＲＴＸが最高値ではないときには、処理はステップ１２４からステップ１２５に進み、このステップ１１５において、エンコードレートＲＥＮＣおよび伝送レートＲＴＸが１ランク高い値とされ、その後、処理はステップ１１１に戻る。
【００４２】
また、ステップ１２４において、伝送レートＲＴＸが最高値のとき、すなわち、伝送レートＲＴＸをそれ以上高くできないときには、処理はステップ１２４からステップ１１１に戻る。
【００４３】
したがって、ステップ１１１〜１１３、１２４、１２５によれば、ＭＡＣデータフレームを１０００回送信するごとに、（４）式が成立するかどうかがチェックされ、成立するときには、成立しないようになるまで、エンコードレートＲＥＮＣおよび伝送レートＲＴＸが高くされていく。
【００４４】
したがって、ルーチン１００によれば、伝送レートＲＴＸは、そのときの環境ないし状態で許される最高値となり、エンコードレートＲＥＮＣも対応した速度となる。
【００４５】
▲４▼　まとめ
上述の放送受信部１０によれば、返送されてくるＡＣＫフレームからＭＡＣデータフレームを送信したときの成功率ｐを求め、この成功率ｐにしたがって、伝送レートＲＴＸを、そのときの環境や状態で許される最高値に設定するとともに、エンコードレートＲＥＮＣを、その伝送レートＲＴＸで可能な最高値に設定している。したがって、放送受信部１０および表示部２０を使用するたびに、あるいは使用中に、環境や状態が変化しても、常に最適な映像および音声を得ることができるとともに、それら映像や音声に欠落を生じることもない。
【００４６】
しかも、そのために、放送受信部１０のハードウェアを変更したり、追加する必要がなく、ソフトウェアを変更するだけでよい。また、表示部２０は、ハードウェアもソフトウェアも変更する必要がなく、これまでのものをそのまま使用することができる。
【００４７】
▲５▼　その他
上述において、ステップ１０２に続いて、主データとしてヌルデータ（例えば、値がすべてＦＦｈであるデータ）を有するＭＡＣデータフレームを、例えば１００回送信し、その後、ステップ１１２以降を実行することもできる。そうのようにすれば、本来のＭＰＥＧエンコード信号を有するＭＡＣデータフレームを最初から適正な速度で送信することができる。そして、そのとき、ヌルデータの送信に必要な時間は、ＲＴＸ＝１０Ｍｂｐｓのときでも１０ｍｓ以下であるとともに、ヌルデータは映像や音声として再生されないので、映像や音声の視聴に問題を生じることもない。
【００４８】
また、上述においては、ステップ１０２において、エンコードレートＲＥＮＣおよび伝送レートＲＴＸを最高値に設定したが、中央値や最低値に設定することもできる。
【００４９】
〔この明細書で使用している略語の一覧〕
Ａ／Ｄ　　：Ａｎａｌｏｇ　ｔｏ　Ｄｉｇｉｔａｌ
ＡＣＫ　　：ＡＣＫｎｏｗｌｅｄｇｅｍｅｎｔ
ＡＶ　　　：Ａｕｄｉｏ　ａｎｄ　Ｖｉｓｕａｌ
ＢＳＳＩＤ：Ｂａｓｉｃ　Ｓｅｒｖｉｃｅ　Ｓｅｔ　ＩＤｅｎｔｉｆｉｃａｔｉｏｎ
Ｄ／Ａ　　：Ｄｉｇｉｔａｌ　ｔｏ　Ａｎａｌｏｇ
ＤＶＤ　　：Ｄｉｇｉｔａｌ　Ｖｅｒｓａｔｉｌｅ　Ｄｉｓｃ
ＩＥＥＥ　：Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ
ＬＣＤ　　：Ｌｉｑｕｉｄ　Ｃｒｙｓｔａｌ　Ｄｉｓｐｌａｙ
ＭＡＣ　　：Ｍｅｄｉａ　Ａｃｃｅｓｓ　Ｃｏｎｔｒｏｌ　ａｄｄｒｅｓｓ
ＭＰＥＧ　：Ｍｏｔｉｏｎ　Ｐｉｃｔｕｒｅ　Ｉｍａｇｅ　Ｃｏｄｉｎｇ　Ｅｘｐｅｒｔｓ　Ｇｒｏｕｐ
ＯＦＤＭ　：Ｏｒｔｈｏｇｏｎａｌ　Ｆｒｅｑｕｅｎｃｙ　Ｄｉｖｉｓｉｏｎ　Ｍｕｌｔｉｐｌｅｘ
ＰＬＣＰ　：Ｐｈｙｓｉｃａｌ　Ｌａｙｅｒ　Ｃｏｎｖｅｒｇｅｎｃｅ　Ｐｒｏｃｅｄｕｒｅ
ＰＳＤＵ　：Ｐｈｙｓｉｃａｌ　ｌａｙｅｒ　Ｓｅｒｖｉｃｅ　Ｄａｔａ　Ｕｎｉｔ
ＶＴＲ　　：Ｖｉｄｅｏ　Ｔａｐｅ　Ｒｅｃｏｒｄｅｒ
【００５０】
【発明の効果】
この発明によれば、送信装置および受信装置を使用するたびに、あるいは使用中に、環境や状態が変化しても、常に最適な映像および音声などを得ることができるとともに、それら映像や音声に欠落を生じることもない。しかも、そのために、送信装置のハードウェアを変更したり、追加する必要がない。また、受信装置は、ハードウェアもソフトウェアも変更する必要がなく、これまでのものをそのまま使用することができる。
【図面の簡単な説明】
【図１】この発明を説明するための図である。
【図２】この発明を説明するための図である。
【図３】この発明を説明するための図である。
【図４】この発明の一形態を示す系統図である。
【図５】この発明の一形態を示すフローチャートである。
【図６】この発明を説明するための図である。
【符号の説明】
１０…放送受信部、１２…受信回路、１４…Ａ／Ｄコンバータ、１５…ＭＰＥＧエンコーダ、１６…無線モジュール、２０…表示部、２２…無線モジュール、２４…ＭＰＥＧデコーダ、２５…Ｄ／Ａコンバータ、２７…ＬＣＤパネル
【図１】
2004080321.tif 000003
【図２】
2004080321.tif 000004
【図３】
2004080321.tif 000005
【図４】
2004080321.tif 000006
【図５】
2004080321.tif 000007
【図６】
2004080321.tif 000008